(57)【要約】【課題】前枠を外枠に対して閉じた状態においては遊技機及び前枠の裏面側から，前枠を外枠に対して開けた状態においては遊技機の前面側であって前枠の裏面側から球皿部内のメンテナンスを容易に行える遊技機を提供すること。【解決手段】パチンコ遊技機１は，外枠２と，外枠２の前面に開閉可能に配設した前枠３とを有し，前枠３の前面３０１に球皿部５を配設してなるものである。球皿部５は，遊技球を貯留するための球貯留部５２と，球貯留部５２から下方に遊技球を導くための球通路５３，５４，５５とを有している。前枠３の裏面３０２には，各球通路５３，５５に連通するメンテナンス用開口部３１が設けてあり，メンテナンス用開口部３１にはこれを開閉するためのメンテナンス用扉６が設けてある。球通路５３の途中には球通路開口部５１が設けてあり，メンテナンス用開口部３１は，球通路開口部５１に連通している。【選択図】  図１
2004313332.tif 000002
【特許請求の範囲】
【請求項１】
外枠と，該外枠の前面に開閉可能に配設した前枠とを有し，該前枠の前面には球皿部が配設されてなる遊技機において，
上記前枠の裏面には，上記球皿部内に連通するメンテナンス用開口部が設けてあると共に，該メンテナンス用開口部には，これを開閉するためのメンテナンス用扉が設けてあることを特徴とする遊技機。
【請求項２】
請求項１において，上記球皿部は，遊技球を貯留するための球貯留部と，該球貯留部から下方に遊技球を導くための球通路とを有していると共に，該球通路の途中には，球通路開口部が設けてあり，上記メンテナンス用開口部は，上記球通路開口部に連通していることを特徴とする遊技機。
【請求項３】
請求項１又は２において，上記球皿部は，上記前枠に固定されていることを特徴とする遊技機。
【請求項４】
請求項２又は３において，上記球皿部は，上記球通路として，上記球貯留部に貯留された遊技球を上記遊技機の外部へ抜き出すための球抜き通路と，上記球貯留部から整流器に遊技球を供給するための発射球供給通路と，該発射球供給通路を通過する遊技球を上記遊技機の外部に抜き出すための発射球抜き通路とを有する一皿構造を有していることを特徴とする遊技機。
【発明の詳細な説明】
【０００１】
【技術分野】
本発明は，外枠に開閉可能に前枠を配設してなるパチンコ遊技機，アレンジボール遊技機，パチンコ球を使用してスロットゲームを行うスロット遊技機等の遊技機に関し，特に前枠の前面に配設した球皿部の構造に関する。
【０００２】
【従来技術】
例えば，パチンコ遊技機においては，外枠の前面側に遊技盤を備えた前枠（本体枠）が開閉可能に配設されており，この前枠の前面側には，多数の遊技球を貯留し，これを遊技球の発射装置に供給する又は球抜き口より運搬用球箱に排出するための球皿部を配設されている。この球皿部の上部には，多数の遊技球を貯留するための球貯留部が形成されており，この球貯留部の下方には，上記発射装置に遊技球を導くための発射球供給通路及び上記運搬用球箱や下部補助受皿に遊技球を排出するための球抜き通路等が形成されている。
【０００３】
このような球皿部の構造を有するパチンコ遊技機としては，例えば，特許文献１に示すものがある。この特許文献１においては，上記発射球供給通路又は球抜き通路等の各球通路の途中に開口部を形成すると共にこの開口部にメンテナンス扉を設けている。そして，各球通路の清掃を行うときや各球通路に発生した球詰まりを解消させるときなどのメンテナンス時には，上記メンテナンス扉を開けて上記開口部から上記清掃を行い，又は上記球詰まりを解消することができる。
【０００４】
【特許文献１】
特開２００２−２６３３２５号公報
【０００５】
【解決しようとする課題】
しかしながら，上記特許文献１の球皿部における開口部及びメンテナンス扉は球皿部の背面板に形成しており，このメンテナンス扉からのメンテナンスは，球皿部を前枠から開けた状態において行うことを想定している。
そのため，球皿部の裏面側には前枠の一部が存在しており，上記パチンコ遊技機の裏面側からはメンテナンス扉を開けてメンテナンスを行うことができない。また，上記前枠を上記外枠に対して開けた状態においても，前枠の裏面側からメンテナンス扉を開けてメンテナンスを行うことはできない。
【０００６】
本発明は，かかる従来の問題点に鑑みてなされたもので，前枠を外枠に対して閉じた状態においては遊技機及び前枠の裏面側から，また，前枠を外枠に対して開けた状態においては遊技機の前面側（外枠の前面側）であって前枠の裏面側から球皿部内の清掃や球詰まりの解消等のメンテナンスを容易に行うことができる遊技機を提供しようとするものである。
【０００７】
【課題の解決手段】
本発明は，外枠と，該外枠の前面に開閉可能に配設した前枠とを有し，該前枠の前面には球皿部が配設されてなる遊技機において，
上記前枠の裏面には，上記球皿部内に連通するメンテナンス用開口部が設けてあると共に，該メンテナンス用開口部には，これを開閉するためのメンテナンス用扉が設けてあることを特徴とする遊技機にある（請求項１）。
【０００８】
本発明の遊技機においては，上記前枠の裏面側にメンテナンス用開口部が設けられていると共にメンテナンス用扉が設けられている。
そのため，前枠を外枠に対して閉じた状態においては，遊技機の裏面側から前枠におけるメンテナンス用扉を開けて，メンテナンス開口部を開放させることができる。そして，作業者は，メンテナンス用開口部を介して，遊技機の裏面側から上記球皿部内の清掃や球詰まりの解消等のメンテナンスを行うことができる。このように前枠を閉じた状態でのメンテナンスは，特に前枠の裏面側に配線等の障害物が存在しない場合に有効である。
なお，前枠を若干外枠に対して開けた状態においても，遊技機の裏面側からのメンテナンスは可能である。
【０００９】
一方，上記前枠の裏面側にメンテナンス用開口部及びメンテナンス用扉を設けた構成により，前枠を外枠に対して開けた状態においても，前枠の裏面側からメンテナンス用扉を開けて，メンテナンス開口部を開放させることができる。そして，作業者は，前枠を開けることにより，遊技機の前面側（外枠の前面側）であって前枠の裏面側から上記球皿部内の清掃や球詰まりの解消等のメンテナンスを行うことができる。
それ故，本発明によれば，前枠を外枠に対して閉じた状態においては遊技機及び前枠の裏面側から，また，前枠を外枠に対して開けた状態においては遊技機の前面側であって前枠の裏面側から球皿部内のメンテナンスを容易に行うことができる。
【００１０】
【発明の実施の形態】
上述した本発明における好ましい実施の形態につき説明する。
本発明においては，上記球皿部は，遊技球を貯留するための球貯留部と，該球貯留部から下方に遊技球を導くための球通路とを有していると共に，該球通路の途中には，球通路開口部が設けてあり，上記メンテナンス用開口部は，上記球通路開口部に連通していることが好ましい（請求項２）。
この場合には，上記メンテナンス用開口部及び上記球通路開口部を介して，上記前枠の裏面側から上記球通路内のメンテナンスを行うことができる。
【００１１】
また，上記球皿部は，上記前枠に固定されていることが好ましい（請求項３）。
上記のごとく，上記メンテナンス用開口部及びメンテナンス用扉は，上記前枠の裏面側に形成したため，この場合のように上記球皿部を前枠に固定することが可能になる。そのため，球皿部の構造を簡単にすることができ，例えば，球皿部を前枠に対して開けるときに遊技球の落下を防止するためのシャッター部材等が不要になる。
【００１２】
また，上記球皿部は，上記球通路として，上記球貯留部に貯留された遊技球を上記遊技機の外部へ抜き出すための球抜き通路と，上記球貯留部から整流器に遊技球を供給するための発射球供給通路と，該発射球供給通路を通過する遊技球を上記遊技機の外部に抜き出すための発射球抜き通路とを有する一皿構造を有していることが好ましい（請求項４）。
【００１３】
上記一皿構造とは，上記遊技機に１つの球皿部を設けた構造をいい，この１つの球皿部に上記球抜き通路，上記発射球供給通路及び上記発射球抜き通路の各球通路を集約させた構造をいう。そのため，この場合には，例えば，上皿部と下皿部との上下２段に形成した球皿部に比べて，上記メンテナンス用開口部及びメンテナンス用扉を複数設けるときに，これらをできるだけ互いに近い位置に設けることができる。
【００１４】
また，上記球通路開口部は，上記球抜き通路，上記発射球供給通路又は上記発射球抜き通路のいずれに対しても設けることができる。そして，上記メンテナンス用開口部は，上記各通路に対して連通するよう設けることができ，各通路内のメンテナンスを行うことができる。また，球通路開口部を，発射球供給通路又は発射球抜き通路に設けたときには，メンテナンス用開口部及びこの球通路開口部を介して上記整流器内のメンテナンスを行うことも可能になる。
【００１５】
【実施例】
以下に，図面を用いて本発明の遊技機に係る実施例につき説明する。
本例の遊技機はパチンコ遊技機１であり，このパチンコ遊技機１は，図４に示すごとく，外枠２と，この外枠２の前面に開閉可能に配設した前枠３とを有し，この前枠３の前面３０１に球皿部５を配設してなるものである。
上記球皿部５は，図３に示すごとく，遊技球を貯留するための球貯留部５２と，この球貯留部５２から下方に遊技球を導くための各球通路５３，５４，５５とを有している。
【００１６】
また，図２，図３に示すごとく，上記前枠３の裏面３０２には，上記球皿部５内の球通路５３，５５に連通するメンテナンス用開口部３１が設けてある。そして，図１に示すごとく，このメンテナンス用開口部３１には，これを開閉するためのメンテナンス用扉６が設けてある。また，上記球通路５３の途中には球通路開口部５１が設けてあり，上記メンテナンス用開口部３１は，上記球通路開口部５１に連通している。
【００１７】
以下に，これを詳説する。
上記前枠３は，パチンコ遊技を行う遊技領域を形成する遊技盤，パチンコ遊技を制御する各種の制御装置及び各種の電気部品を配設してなるものである。また，本例においては，図１に示すごとく，前枠３の裏面３０２には，これに開閉可能に機構板４が配設されており，上記各種の制御装置及び各種の電気部品は主にこの機構板４に配設されている。
また，上記前枠３の前面３０１には，プラスチック枠の内側にガラス板を配設してなるガラス扉（図示略）が開閉可能に配設されている。
【００１８】
図１に示すごとく，本例の球皿部５は，上記前枠３に開閉不能に一体的に固定されてなるものである。すなわち，球皿部５は，前枠３に対して分解しない限り開閉させることができない固定タイプのものであり，球皿部５を開閉可能にしたときに遊技球が球貯留部５２から零れ落ちることを防止するためのシャッター部材等を不要にしたものである。
【００１９】
図１，図２に示すごとく，上記メンテナンス用扉６は，これを回動可能に前枠３の裏面３０２に固定するための回動ヒンジ部６１と，メンテナンス用開口部３１を閉塞するための閉塞部６２と，この閉塞部６２から突出形成し，上記回動ヒンジ部６１を回動支点にして開閉させる際に操作するための操作部６３とを有している。また，操作部６３には，前枠３の裏面３０２に形成された掛止部３２に掛止して，メンテナンス用扉６が不用意に開くことを防止するための掛止爪６３１が形成されている。
そして，掛止爪６３１を上記掛止部３２に掛止することにより，パチンコ遊技機１において遊技を行う際には，メンテナンス用扉６が不用意に開かないようになっている。
【００２０】
また，図３に示すごとく，上記球皿部５は，上記パチンコ遊技機１に１つだけ設けた一皿構造を有している。そして，この球皿部５は，上記球通路５３，５４，５５として，上記球貯留部５２に貯留された遊技球をパチンコ遊技機１の外部へ（例えば運搬用球箱等へ）抜き出すための球抜き通路５３と，上記球貯留部５２から整流器５６に遊技球を供給するための発射球供給通路５４と，この発射球供給通路５４を通過する遊技球をパチンコ遊技機１の外部へ（例えば運搬用球箱等へ）抜き出すための発射球抜き通路５５とを有している。
【００２１】
上記整流器５６は，上記発射球供給通路５４から供給される遊技球を整流して，１つずつ球発射装置５７に送り出すものであり，本例では前枠３の前面３０１側に配設されている。また，球発射装置５７は，整流器５６から送られた遊技球を１つずつ上記遊技盤に形成した遊技領域に向けて発射させるものである。
そして，上記発射球抜き通路５５は，上記球貯留部５２から上記発射球供給通路５４内に流下し，上記球発射装置５７で発射させなかった遊技球を球皿部５から外部に抜き出すための通路である。
【００２２】
図３に示すごとく，上記発射球抜き通路５５は上記球抜き通路５３に開口している。そして，球抜き通路５３を流下する遊技球は，この球抜き通路５３の下方先端に形成された球抜き口５３１から抜き出される。
そして，本例においては，上記球通路開口部５１は，上記発射球抜き通路５５が上記球抜き通路５３に開口する部位に設けてある。そして，図２に示すごとく，メンテナンス用扉６を開けることにより，メンテナンス用開口部３１及び球通路開口部５１を介して，球抜き通路５３内と発射球抜き通路５５内のメンテナンスを行うことができる。
なお，上記球通路開口部５１は，上記球抜き通路５３，上記発射球供給通路５４又は上記発射球抜き通路５５のいずれに対しても設けることができる。
【００２３】
図３に示すごとく，上記球貯留部５２の底面には，この球貯留部５２内に貯留した遊技球を上記球抜き通路５３内に流下させるための球流下口５２１が設けてあり，この球流下口５２１には，第１球抜きシャッター５２２が開閉可能に設けてある，そして，この第１球抜きシャッター５２２を開けることにより，球貯留部５２内の遊技球を球抜き通路５３内を流下させて上記球抜き口５３１から抜き出すことができる。
【００２４】
また，上記発射球供給通路５４は，上記球貯留部５２内の下方部に開口しており，発射球供給通路５４と発射球抜き通路５５とが連通する連通口５４１には，発射球供給通路５４から発射球抜き通路５５へと遊技球を抜き出すための第２球抜きシャッター５４２が開閉可能に設けてある。そして，この第２球抜きシャッター５４２を開けることにより，球貯留部５２内及び発射球供給通路５４内の遊技球を発射球抜き通路５５内を流下させて上記球抜き口５３１から抜き出すことができる。
【００２５】
また，図５に示すごとく，上記パチンコ遊技機１内においては，以下のように遊技球が流下してパチンコ遊技を構成する。
すなわち，パチンコ遊技機１の上部には，遊技球を貯留する球タンク３３，球タンク３３から流下した遊技球を整列して球払出装置３５に送るためのタンクレール３４，タンクレール３４から送られた遊技球を所定の数だけ払い出す球払出装置３５が配設されている。また，球払出装置３５の下方には，球払出装置３５から払い出された遊技球を流下させる球流下通路３６が形成されており，この球流下通路３６の下端部は，球皿部５の球貯留部５２内に開口する球排出口３６１に連通している。
【００２６】
そして，球貯留部５２内の遊技球は，この球貯留部５２内から発射球供給通路５４を通って整流器５６に流下し，この整流器５６から１つずつ球発射装置５７に送られる。そして，この遊技球が球発射装置５７から上記遊技盤の遊技領域に向けて発射されることにより，パチンコ遊技を行うことができる。
【００２７】
本例のパチンコ遊技機１は，上記前枠３の裏面３０２から前面３０１に上記メンテナンス用開口部３１を貫通させ，これを上記球通路開口部５１に連通させていることにより，前枠３の裏面３０２側から球皿部５の球通路５３，５５内のメンテナンスを可能にしたものである。
【００２８】
そして，前枠３を外枠２に対して閉じた状態においては，パチンコ遊技機１の裏面１０２側から前枠３におけるメンテナンス用扉６を開けて，メンテナンス開口部３１を開放させることができる。そして，作業者は，メンテナンス用開口部３１を介して，パチンコ遊技機１の裏面１０２側から上記球皿部５における球抜き通路５３内又は発射球抜き通路５５内の清掃や球詰まりの解消等のメンテナンスを行うことができる。このように前枠３を閉じた状態でのメンテナンスは，特に前枠３の裏面３０２側に配線等の障害物が存在しない場合に有効である。
なお，前枠３を若干外枠２に対して開けた状態においても，パチンコ遊技機１の裏面１０２側からのメンテナンスは可能である。
【００２９】
一方，上記前枠３の裏面３０２側にメンテナンス用開口部３１及びメンテナンス用扉６を設けた構成により，前枠３を外枠２に対して開けた状態においても，前枠３の裏面３０２側からメンテナンス用扉６を開けて，メンテナンス開口部３１を開放させることができる。そして，作業者は，前枠３を開けることにより，パチンコ遊技機１の前面１０１側，すなわち外枠２の前面側であって前枠３の裏面３０２側から上記球皿部５における球抜き通路５３内又は発射球抜き通路５５内の清掃や球詰まりの解消等のメンテナンスを行うことができる。
【００３０】
それ故，本例のパチンコ遊技機１によれば，前枠３を外枠２に対して閉じた状態においてはパチンコ遊技機１の裏面１０２側であって前枠３の裏面３０２側から，また，前枠３を外枠２に対して開けた状態においてはパチンコ遊技機１の前面１０１側であって前枠３の裏面３０２側から球抜き通路５３内又は発射球抜き通路５５内のメンテナンスを容易に行うことができる。
【図面の簡単な説明】
【図１】実施例における，メンテナンス用開口部及びメンテナンス用扉を設けてなる前枠と前枠に配設した球皿部とを側方から見た状態で示す側方断面説明図。
【図２】実施例における，図１においてメンテナンス用扉を開けた状態を示す側方断面説明図。
【図３】実施例における，球皿部内の構造を裏面側から見た状態で示す説明図。
【図４】実施例における，パチンコ遊技機を示す斜視図。
【図５】実施例における，パチンコ遊技機を裏面側から見た状態で示す説明図。
【符号の説明】
１．．．パチンコ遊技機，
１０１．．．前面，
１０２．．．裏面，
２．．．外枠，
３．．．前枠，
３０１．．．前面，
３０２．．．裏面，
３１．．．メンテナンス用開口部，
５．．．球皿部，
５１．．．球通路開口部，
５２．．．球貯留部，
５３．．．球抜き通路，
５４．．．発射球供給通路，
５５．．．発射球抜き通路，
５６．．．整流器，
５７．．．球発射装置，
６．．．メンテナンス用扉，
【図１】
2004313332.tif 000003
【図２】
2004313332.tif 000004
【図３】
2004313332.tif 000005
【図４】
2004313332.tif 000006
【図５】
2004313332.tif 000007